(57)【要約】      （修正有）【課題】ウェアラブル形式の情報端末装置において、スポーツなど装着者が激しく動くようなシーンであっても、装着者の腕に安定的にフィットさせ、操作性及び視認性を向上させることのできる情報端末装置を提供する。【解決手段】装着者が操作するための操作手段が外表面に配置された操作部２と、操作部２に対して着脱可能に連結される小型ディスプレイ３、又は小型ディスプレイ３と交換可能に操作部に対して連結される大型ディスプレイとを備え、側方からの平面視において、操作部に対して小型又は大型のディスプレイ３が連結された状態の全体形状が、くの字状に屈曲されている。また、ベルト５は、装着者が装着する際に環状に形成される細長のベルト部材５０ａ、５０ｂと、操作部２及びディスプレイ３が着脱可能に係合される係合フレーム５１と、ベルト部材５０ａ、５０ｂの端部を相互に係止させて環状を保持するバックル部を備えている。【選択図】図９
0003203424.tif 000002
【実用新案登録請求の範囲】
【請求項１】
装着者が操作するための操作手段が外表面に配置された操作部と、
前記操作部に対して着脱可能に連結され、前記操作部における操作に関する情報が表示される第１の表示部と、
前記第１の表示部と異なる大きさ、形状、模様又は色彩であり、前記第１の表示部と交換可能に前記操作部に対して連結される第２の表示部と
を備え、
側方からの平面視において、前記操作部に対して前記第１又は第２の表示部が連結された状態の全体形状が、くの字状に屈曲されている
ことを特徴とする情報端末装置。
【請求項２】
前記操作部に対して着脱可能に連結されるバッテリー装置をさらに備え、
前記操作部を介して、前記バッテリーからの電力を前記第１又は第２の表示部に対して供給可能となっている
ことを特徴とする請求項１に記載の情報端末装置。
【請求項３】
前記装着者が装着する際に環状に形成される細長のベルト部材と、
前記ベルト部材に設けられ、前記操作部、及び／又は前記表示部が着脱可能に係合される係合部と、
をさらに備え、
前記表示部の側部は、前記ベルト部材の長手方向と直交する一方向に向けて突出された形状をなし、
前記表示部の突出された側部における、装着者との接触面からの高さが、他方の側部よりも高く形成されていることを特徴とする請求項１又は２に記載の情報端末装置。
【請求項４】
前記装着者が装着する際に環状に形成される細長のベルト部材と、
前記ベルト部材に設けられ、前記操作部、及び／又は前記表示部が着脱可能に係合される係合部と、
前記ベルト部材の端部を相互に係止させて前記環状を保持する係止部と
をさらに備え、
前記ベルト部材の長手方向に沿って多数の孔が連続して配列され、
前記多数の孔は、前記長手方向に沿って連続される２以上の列をなし、隣接する列に属する孔の間隔周期は、互いに半周期分ずれており、
前記係止部は、前記多数の孔のいずれかに嵌合されることにより、ベルト部材の一端を他端側へ係止させる
ことを特徴とする請求項１又は２に記載の情報端末装置。
【請求項５】
環状に形成された前記ベルト部材の内側に配置され、前記ベルト部材の一部又は全部の厚みを増加させる補間部材をさらに備え、
前記補間部材は、前記多数の孔に嵌合されて固定される
ことを特徴とする請求項４に記載の情報端末装置。
【請求項６】
（ベルトアジャスターのみ）
前記装着者が装着する際に環状に形成される細長のベルト部材と、
環状に形成された前記ベルト部材の内側に配置され、前記ベルト部材の一部又は全部の厚みを増加させる補間部材と
をさらに備えることを特徴とする請求項１又は２に記載の情報端末装置。
【請求項７】
前記補間部材は、
前記ベルト部材の内側に沿って配置される可撓性を有する部材に、前記環状の中心から、前記ベルト部材内表面に向けて切り込まれたスリットが多数形成されて構成されることを特徴とする請求項５又は６に記載の情報端末装置。
【請求項８】
前記表示部は、前記装着者が装着した状態における１２時側に配置され、
前記操作部は、前記装着者が装着した状態における６時側に配置され、
前記表示部及び／又は前記操作部には、前記６時側の外表面上に、情報を簡易表示させるための簡易表示部を有する
ことを特徴とする請求項１又は２に記載の情報端末装置。
【請求項９】
前記操作部に対して着脱可能に連結され、連結状態において前記操作部又は前記表示部のいずれか又は両方と電磁的に接続されるドック装置と、
前記ドック装置に対して着脱可能に連結される１又は複数の拡張バッテリー装置と
前記ドック装置を介して、前記拡張バッテリーのいずれか又は全部からの電力を前記操作部及び／又は前記表示部に対して供給可能となっている
ことを特徴とする請求項１又は２に記載の情報端末装置。
【請求項１０】
前記拡張バッテリーは、前記操作部に連結された他のバッテリー、又は当該他のバッテリーと共通の連結機構を有する他の拡張バッテリーに対しても充電用の電力を供給可能となっている
ことを特徴とする請求項９に記載の情報端末装置。
【請求項１１】
前記ドック装置に対して着脱可能に連結され、連結状態において当該ドック装置及び当該ドック装置に連結された前記操作部又は前記表示部のいずれか又は両方を、他の部位に固定するためのマウント治具をさらに備えることを特徴とする請求項１又は２に記載の情報端末装置。
【考案の詳細な説明】
【技術分野】
【０００１】
本考案は、腕時計としても装着可能な情報端末装置に関する。
【背景技術】
【０００２】
近年では、いわゆるウェアラブル端末が注目されている。このウェアラブル端末は、腕時計その他の装身具としてユーザーが身につけるタイプの携帯情報端末であり、代表的なものとしては、ユーザーが腕に装着するタイプのブレスレット型のものが知られている（例えば、特許文献１）。
この特許文献１に開示されたブレスレット型のウェアラブル端末によれば、メインディスプレイに対して、これを挟むようにして上下のタッチパネルを揺動可能に連結し、ユーザの手首に装着可能なブレスレット状に構成し、ユーザは、タッチするだけといった簡単な操作で所望の操作を実行することができ、その操作性を向上させることができる。
【先行技術文献】
【特許文献】
【０００３】
【特許文献１】特開２００１−１０３５３６号公報
【考案の概要】
【考案が解決しようとする課題】
【０００４】
しかしながら、上述した特許文献１に開示されたウェアラブル端末では、メインディスプレイに操作パネルを揺動可能に接続して、腕に巻き付ける形態であることから、装着者の腕にフィットせず位置決めが不安定であることから、メインディスプレイや操作パネルの位置がずれてしまうという問題がある。特に、スポーツ用の目的で装着する場合には、その激しい動きによってウェアラブル端末がズレや移動も大きくなり、操作性や視認性が著しく低下するという問題がある。
【０００５】
そこで、本考案は、上記のような問題を解決するものであり、ウェアラブル形式の情報端末装置において、スポーツなど装着者が激しく動くようなシーンであっても、装着者の腕に安定的にフィットさせ、操作性及び視認性を向上させることのできるシステムを提供することを目的とする。
【課題を解決するための手段】
【０００６】
上記課題を解決するために、本考案に係る情報端末装置は、装着者が操作するための操作手段が外表面に配置された操作部と、操作部に対して着脱可能に連結され、操作部における操作に関する情報が表示される第１の表示部と、第１の表示部と異なる大きさ、形状、模様又は色彩であり、第１の表示部と交換可能に操作部に対して連結される第２の表示部とを備え、側方からの平面視において、操作部に対して第１又は第２の表示部が連結された状態の全体形状が、くの字状に屈曲されている。
【０００７】
このような本考案によれば、ユーザーによる操作対象となる操作部と表示部とをくの字状に屈曲させて固定した構造とできるため、例えば装着者の腕に、腕時計型として装着した場合、腕の表面形状に合致させた位置に固定することができる。また、表示部は、異なるタイプのものを交換可能としているため、目的・用途に応じてサイズや形状を変化させることができ、シチュエーションに応じた構成とすることができる。
【０００８】
上記考案において、操作部に対して着脱可能に連結されるバッテリー装置をさらに備え、操作部を介して、バッテリーからの電力を第１又は第２の表示部に対して供給可能となっていることが好ましい。この場合には、バッテリーについても、シチュエーションに応じたサイズ、形状に交換可能とすることにより、実用性を高めることができる。
【０００９】
上記考案において、装着者が装着する際に環状に形成される細長のベルト部材と、ベルト部材に設けられ、操作部、及び／又は表示部が着脱可能に係合される係合部と、をさらに備え、表示部の側部は、ベルト部材の長手方向と直交する一方向に向けて突出された形状をなし、表示部の突出された側部における、装着者との接触面からの高さが、他方の側部よりも高く形成されていることが好ましい。
【００１０】
この場合には、ベルト部材を介して情報端末装置を腕に固定することができる。このとき、表示部の側部が、ベルト部材の長手方向と直交する一方向に向けて突出された形状をなしていることから、突出した一方を腕側に向けて位置させ、突出していない他方を手の甲側に向けて位置させることにより、情報端末装置の側部が、装着者の手首の動きが妨げられるのを防止できる。さらには、表示部が突出された側、すなわち装着者の腕側となる方の、ベルト部材の高さが、他方の側、すなわち手首側よりも高く形成されているため、腕側に向けて突出された表示部が、手首の動きなどの影響で、腕の表面に接触することがなく、破損の可能性を低減することができる。
【００１１】
上記考案において、装着者が装着する際に環状に形成される細長のベルト部材と、ベルト部材に設けられ、操作部、及び／又は表示部が着脱可能に係合される係合部と、ベルト部材の端部を相互に係止させて環状を保持する係止部とをさらに備え、ベルト部材の長手方向に沿って多数の孔が連続して配列され、多数の孔は、長手方向に沿って連続される２以上の列をなし、隣接する列に属する孔の間隔周期は、互いに半周期分ずれており、係止部は、多数の孔のいずれかに嵌合されることにより、ベルト部材の一端を他端側へ係止させることが好ましい。
【００１２】
この場合には、情報端末装置をベルト部材により、装着者の腕に装着させる際、係合部をベルト孔に通して、ベルト両端を係合させて環状を形成する。このとき、ベルト部材の孔は、いわゆる千鳥配置となるように、互いに半周期分ずれて配列されており、任意の位置で係合させることができ、ベルトのフィット感をより高めることができる。
【００１３】
上記考案において、環状に形成されたベルト部材の内側に配置され、ベルト部材の一部又は全部の厚みを増加させる補間部材をさらに備えることが好ましい。この場合には、また、環状に形成されたベルト部材の内側には、厚みを増加させる補間部材を、ベルトと装着者の腕表面との間に挟み込むことができるようになっており、これによって、サイズ調整の幅を拡げることができる。
【００１４】
このとき、補間部材は、ベルト部材に形成された多数の孔に嵌合させて固定することができる。この場合には、ベルト調節用の孔を補間部材の取付けに利用することができるとともに、多数の孔から選択して取付け位置を定めることができるので、取付け位置等の自由度を高くすることができる。
【００１５】
上記考案において、前記補間部材は、前記ベルト部材の内側に沿って配置される可撓性を有する部材に、前記環状の中心から、前記ベルト部材内表面に向けて切り込まれたスリットが多数形成されて構成されることが好ましい。この場合には、簡単な構成によりベルト部材の環径や曲がり具合に追従させて補間部材を湾曲させることができる上に、装着者の腕に対するフィット感を高めつつ、スリットを介しての通気性や発汗性を促すことができ、サイズを調整しつつベルト部材を快適に装着できる。
【００１６】
上記考案において、表示部は、装着者が装着した状態における１２時側に配置され、操作部は、装着者が装着した状態における６時側に配置され、表示部及び／又は操作部には、６時側の外表面上に、情報を簡易表示させるための簡易表示部を有することが好ましい。
【００１７】
この場合には、腕に情報端末装置を装着した状態では、装置表の６時側（下側）の側面が、装着した腕の親指位置と対応することとなる。一般的なスポーツでは、腕の親指側が視界に入り易く、その反対側は見えづらい位置となる。本考案では、情報の簡易表示を６時側に見えやすく配置させることで、情報の瞬間視を可能とし、本機をスポーツのコーチングなどに利用するときに、情報を見る際のフォームの乱れなどを低減させることができる。
【００１８】
上記考案において、操作部に対して着脱可能に連結され、連結状態において操作部又は表示部のいずれか又は両方と電磁的に接続されるドック装置と、ドック装置に対して着脱可能に連結される１又は複数の拡張バッテリー装置とドック装置を介して、拡張バッテリーのいずれか又は全部からの電力を操作部及び／又は表示部に対して供給可能となっていることが好ましい。この場合には、腕時計型として装着していた携帯情報端末をドック装置に取り付け、各種バッテリーから電力を供給することにより、本体のバッテリーが切れた状態であっても、ドック装置に取付けることで、利用が可能となる。
【００１９】
上記考案において、拡張バッテリーは、操作部に連結された他のバッテリー、又は当該他のバッテリーと共通の連結機構を有する他の拡張バッテリーに対しても充電用の電力を供給可能となっていることが好ましい。この場合には、ドック装置に大型の拡張バッテリーを接続することにより、操作部本体に電力を供給するのみでなく、そこに取付けられているバッテリーにも充電でき、ドック装置から取り外した後にも、充電されたバッテリーで引き続き使用が可能となる。
【００２０】
上記考案において、ドック装置に対して着脱可能に連結され、連結状態において当該ドック装置及び当該ドック装置に連結された操作部又は表示部のいずれか又は両方を、他の部位に固定するためのマウント治具をさらに備えることが好ましい。
【００２１】
この場合には、マウント治具を介して、携帯情報端末を自転車やその他の器具の部位に固定することができ、より幅広いシーンでの利用が可能となる。
【考案の効果】
【００２２】
以上述べたように、この考案によれば、ウェアラブル形式の情報端末装置において、スポーツなど装着者が激しく動くようなシーンであっても、装着者の腕に安定的にフィットさせ、操作性及び視認性を向上させることができる。
【図面の簡単な説明】
【００２３】
【図１】実施形態に係る情報端末装置の小型ディスプレイ装着時を示す斜視図である。
【図２】実施形態に係る情報端末装置の小型ディスプレイ装着時を示す側面図及び底面図である。
【図３】実施形態に係る情報端末装置の大型ディスプレイ装着時を示す斜視図である。
【図４】（ａ）は実施形態に係る情報端末装置の小型ディスプレイを分離した状態を示す斜視図であり、（ｂ）は実施形態に係る情報端末装置の大型ディスプレイを分離した状態を示す斜視図である。
【図５】実施形態に係るドック装置を示す斜視図である。
【図６】実施形態に係るドック装置を示す側面図である。
【図７】実施形態に係る情報端末装置に装着可能な各装置を示す説明図である。
【図８】実施形態に係る情報処理端末及びドック装置の電源系の内部構成を示すブロック図である。
【図９】実施形態に係る情報端末装置（小型ディスプレイ装着時）にベルトを取付けた状態を示す斜視図である。
【図１０】実施形態に係る情報端末装置（小型ディスプレイ装着時）にベルトを取付けた状態を示す斜視図である。
【図１１】（ａ）は実施形態に係るベルトを示す斜視図であり、（ｂ）はベルトの係合部のみを示す斜視図であり、（ｃ）は（ｂ）の正面図である。
【図１２】（ａ）は実施形態に係るベルトにアジャスターを装着した状態を示す斜視図であり、（ｂ）は（ａ）のベルトのみを示す側面図である。
【図１３】実施形態に係る情報端末装置（大型ディスプレイ装着時）にマウント治具を取付ける状態を示す斜視図である。
【考案を実施するための形態】
【００２４】
以下に添付図面を参照して、本考案に係るシステムの実施形態を詳細に説明する。図１は、本実施形態に係る情報端末装置の小型ディスプレイ装着時を示す斜視図であり、図２は図１の側面図及び底面図である。また、図３は、実施形態に係る情報端末装置の大型ディスプレイ装着時を示す斜視図である。
【００２５】
（基本形態）
本実施形態に係る情報端末装置１は、装着者の腕に装着したり、ドック装置上に載置されたり、マウント治具により自転車のハンドルに取付けられたりと、種々のシーンで利用が可能なウェアラブル端末である。外観的に、情報端末装置１は、装着者が操作するための操作手段が外表面に配置された操作部２と、操作部２に対して着脱可能に連結され、操作部における操作に関する情報が表示される小型ディスプレイ３又は大型ディスプレイ４とから構成される。
【００２６】
操作部２は、上面２ａがタッチパネルになっており、ここに種々の表示がされるとともに、タッチ操作による操作信号を受け付けるようになっている。また、操作部２の前方には左右に機能ボタン２１，２１が設けられており、これらの機能ボタン２１を操作することによっても、種々の操作を行うことができるにようになっている。さらに、図４（ａ）及び（ｂ）に示すように、先端の凸部２３には、各ディスプレイが係合されるフック係合孔２３ａ及び２３ｂとを備えているとともに、ディスプレイが電気的に接続されるための表示部接続端子２３ｃが突設されている。また、ディスプレイの両側には、着脱ボタン３４，３４が設けられており（図２（ｂ））、この着脱ボタン３４，３４を左右から内方に向けて押し込むことで、フック係合孔２３ａに挿通されて引っ掛けられたディスプレイ側のフック（図４（ａ）に例示するフック３１）が外れるようになっている。
【００２７】
また、操作部２には、各種バッテリー７１〜７３（図７）が取り付けられるスロット２０ａが形成されている。この各種バッテリー７１〜７３は、スロット２０に対して着脱可能に連結され、操作部２を介して、各種バッテリー７１〜７３からの電力がディスプレイ３又は４に供給可能となっている。
【００２８】
小型ディスプレイ３は、操作部２とほぼ同じ幅を有する小型の第１の表示部であり、図４（ａ）に示すように、後端部に操作部２と係合するためのフック３１及び凸部３２が突出されている。小型ディスプレイ３の上面は、タッチパネル３ａとなっており、このタッチパネル３ａ上に種々の情報が表示されるとともに、タッチ操作により、その表示に対する操作を入力することができる。
【００２９】
なお、この小型ディスプレイ３は、図３に示すような、大型ディスレプレイ４と交換することができる。この大型の大型ディスレプレイ４は、操作部２よりも幅広な横長の第２の表示部であり、後端部に操作部２と係合するためのフック及び凸部が突出されている。大型ディスレプレイ４の上面は、タッチパネル４ａとなっており、このタッチパネル４ａ上に種々の情報が表示されるとともに、タッチ操作により、その表示に対する操作を入力することができる。
【００３０】
そして、操作部２に対して大型又は小型の小型ディスプレイ３又は４が連結された状態では、側方からの平面視における全体形状が、「く」の字状に屈曲されている。これにより、例えば装着者の腕に、腕時計型として装着した場合、腕の表面形状に合致させた位置に固定することができる。このとき、小型ディスプレイ３や大型ディスプレイ４というように、異なるタイプのものディスプレイ装置が交換可能であることから、目的・用途に応じて表示する情報のサイズや形状を変化させることができ、シチュエーションに応じた構成とすることができる。
【００３１】
（ドック装置装着時における形態）
情報端末装置１にドック装置にドッキングさせることにより、通信機能や記憶容量拡張などの機能を追加できるとともに、情報端末装置１や、その他交換用のバッテリーを充電するための電力の供給を受けることができる。図５（ａ）及び（ｂ）は、本実施形態に係るドック装置６の外観を示す斜視図であり、図６はその側面図である。
【００３２】
本実施形態において、ドック装置６は、情報端末装置１と着脱可能に係合され、充電器としての機能を兼ね備えた情報端末装置であり、情報端末装置１のくの字型に屈曲した形状に合致するように、ドック装置６の本体６０の上面部分の形状も、くの字型に屈曲さている。この本体６０の上面には、ドッキング溝６１が形成されている。本実施形態において、ドック装置６の本体６０は例えば、硬化プラスチック等の合成樹脂で形成され、その内部に電子回路、ＣＰＵなどの情報処理手段を備えている。
【００３３】
また、本実施形態において、このドック装置６は、その上面にドック側接続端子６２が形成されており、このドック側接続端子６２が、情報端末装置１の外装ケース底部にある端末側接続端子３３に係合され、ドック装置６と情報端末装置１とが電気的に接続されるようになっている。
【００３４】
具体的に、ドック装置６上面のドッキング溝６１内には、端末側接続端子３３に対応する位置にドック側接続端子６２が設けられており、ドック側接続端子６２が端末側接続端子３３と接触することで、ドック装置６と情報端末装置１とが電気的に接続され、情報端末装置１及びドック装置６は、このドック側接続端子６２を介して、ドック装置６から情報端末装置１に対して、電源を供給したり、ディスプレイ３，４に表示するためのデータの送受信を行うようになっている。
【００３５】
また、このドック装置６上面のドッキング溝６１の内側面には、情報端末装置１側の溝部に嵌合される凸部６１ｂ，６１ｃが内方に向けて突出されており、この凸部６１ｂ，６１ｃを情報端末装置１側の溝部に嵌合させることにより、情報端末装置１をドック装置６にドッキングさせることができる。なお、この情報端末装置１側の溝部として、本実施形態では、図２に例示するように、ディスプレイの底面に形成された溝部３３と、操作部２の下部に形成された溝部２１ａを有している。これら溝部３３，２１ａは、ディスプレイの表示面である上面のタッチパネル３ａに平行となるように形成されており、これら溝部３３，２１ａに合致するようにドッキング溝６１側の凸部６１ｂ，６１ｃが形成されている。
【００３６】
すなわち、くの字に屈曲されたドック装置６のディスプレイが係合される前端部分側に、ドッキング溝６１の上面と平行になるように凸部６１ｂが形成され、ドック装置６の操作部２が係合される後端部分側に、後端部分の傾斜された上面と交差させて凸部６１ｂと平行になるように凸部６１ｃが形成されている。これにより、情報端末装置１をドック装置６にドッキングさせる際には、ドック装置６の後端部分（背面側）から前端部分に向けて、情報端末装置１をその上面のタッチパネル３ａと平行となる方向にスライドさせることで、ドック装置６に対して装着させることができる。この情報端末装置１の係合状態は、１２時位置に設けられたロッ６１ａで固定される。このロック６１ａは、レバー６０ｂと連動するようになっており、レバー６０ｂを手動でスライド移動させることによって、情報端末装置１の係合状態を解除できるようになっている。
【００３７】
また、このドック装置６には、内部バッテリー６６ａが内蔵されており（図８参照）、ドック装置６側から情報端末装置１に対して電力を供給することができる。また、このドック装置６には、無線電波を介して非接触でデータの読出しや書き込みが可能なＲＦＩＤ通信機能を有しており、ドック装置６に設けられた無線通信用の無線アンテナ（第２のアンテナ）２４を用いて、外部のリーダライタ装置との無線通信を可能としてもよい。ドック装置６の内部バッテリー６６ａは、情報端末装置１に対して電源を供給する装置であり、コンセントや、他の装置のＵＳＢ端子等、電力供給端子６４などの電力供給源に接続された電源ケーブルを介して電力が供給され充電される。なお、本実施形態において、ドック装置６には、パーソナルコンピュータ等の外部装置と電気的に接続される電力供給端子６４を備えている。電力供給端子６４は、ドック装置６の外部に設けられ、ＵＳＢケーブルを介して外部装置と接続される外部端子である。
【００３８】
また、ドック装置６の下部前面には、複数種のバッテリー装置が挿入されるスロット６３が設けられており、バッテリーが着脱可能に連結されるようになっている。このスロット６３内にはバッテリー接続端子６３ａが設けられており、小型・中型バッテリー７１，７２や拡張バッテリー７３からドック装置６を介して、これらのバッテリー７１〜７３のいずれか又は全部からの電力を操作部２及びディスプレイ３，４に対して供給可能となっている。これにより、例えば腕時計型として装着していた情報端末装置１を、ドック装置６に取り付け、ドック装置６に接続された各種バッテリー７１〜７３から電力を供給することにより、本体の内部バッテリー２０ｂや情報端末装置１に装填された携帯中のバッテリーが切れた状態であっても、ドック装置６に取付けることで情報端末装置１の利用が可能となる。
【００３９】
この外部バッテリーとしては、サイズや形状が異なる複数種のものがあり、図７に示すように、小型バッテリー７２、中型バッテリー７１と、大型の拡張バッテリー７３がある。これらは、サイズに応じて容量及び重量が異なり、腕に装着した状態の情報端末装置１に取付ける場合には小型バッテリー７２を選択し、自転車などにマウントして大型のディスプレイ４を装着する場合には、中型のバッテリー７１を選択して、操作部２のスロット２０に装着する。なお、これら小型バッテリー７２及び中型バッテリー７１は、操作部２のスロット２０にも、ドック装置６のスロット６３にも装着することができる。
【００４０】
また、拡張バッテリー７３は、コネクタ部７３ｂの構成が、他の小型バッテリー７２や中型バッテリー７１と共通の連結機構を有した大容量のバッテリー装置である。この拡張バッテリー７３は、ドック装置６先端のスロット６３に装着され、ドック装置６の内部バッテリー６６ａを充電しつつ、ドック装置６にドッキングされた情報端末装置１に電力を供給することができる。
【００４１】
さらに、ドック装置６の内部バッテリー６６ａの充電が完了した後は、情報端末装置１の内部バッテリー、及び情報端末装置１に装填されたバッテリー７１，７２を順次充電できるようになっている。これにより、このような拡張バッテリー７３を装着することにより、他のバッテリー７１，７２に対しても充電用の電力を供給でき、操作部２本体に電力を供給するのみでなく、そこに取付けられているバッテリー７１，７２にも充電でき、情報端末装置１をドック装置６から取り外した後にも、充電されたバッテリー７１，７２で引き続き使用が可能となる。
【００４２】
（電源系の構成）
以上説明したドック装置６と情報端末装置１との電源系について説明する。  図８は、実施形態に係る情報処理端末及びドック装置の電源系の内部構成を示すブロック図である。
【００４３】
操作部２には内部バッテリー２０ｂが備えられ、この内部バッテリー２０ｂはバッテリー接続端子２０ａを通じて、小型・中型バッテリー７２，７１から電力が供給され充電される。内部バッテリー２０ｂに蓄積された電力は、操作部２及びディスプレイ３，４に供給されて各装置の駆動に用いられる。この内部バッテリー２０ｂはスイッチ部２０ｄを介して、バッテリー接続端子２０ａ、表示部接続端子２３ｃが接続され、スイッチ部２０ｄによって、内部バッテリー２０ｂからの電力供給量及び内部バッテリー２０ｂに対する電力供給量が調節され、電力供給方向が切り替えられる。この内部バッテリー２０ｂには充電量検出部２０ｃが接続されており、この充電量検出部２０ｃによる検出結果に基づいてスイッチ部２０ｄによる電力供給方向及び電力量が変化される。
【００４４】
詳述すると、操作部２の内部バッテリー２０ｂは、表示部接続端子２３ｃを介してディスプレイ３，４側に接続され、ディスプレイ３，４側の端末側接続端子３３を介して、ドック装置６側のドック側接続端子６２に接続されている。また、操作部２において内部バッテリー２０ｂには、小型バッテリー７２又は中型バッテリー７１がバッテリー接続端子２０ａを介してスイッチ部２０ｄに接続されており、スイッチ部２０ｄは、外部のバッテリー７１，７２やドック装置６側から内部バッテリー２０ｂに対する電力供給を行う一方で、内部バッテリー２０ｂから外部のバッテリー７１，７２、ドック装置６への逆流を防ぐ役割も果たしている。
【００４５】
ドック装置６には、バッテリー接続端子６３ａやＵＳＢ等の電力供給端子６４が設けられており、これらバッテリー接続端子６３ａやＵＳＢ等の電力供給端子６４を通じて、大型の拡張バッテリー７３や外部電源６５からの電力供給を受けられるようになっている。この電力の供給先は、各装置の接続状態や電池残量に応じて、スイッチ部６６により適宜切り替えられるようになっている。このスイッチ部６６ｂの切替は、充電量検出部６６ａによる検出結果に応じて行われる。拡張バッテリー７３や外部電源６５から供給された電力は、接続端子６２，３３を通じて、操作部２及びディスプレイ３，４に供給されて各装置の駆動や操作部２側に装填された各種バッテリーの充電に用いられる。
【００４６】
詳述すると、外部電源６５からの電力は、スイッチ部６６ｂを介して、バッテリー接続端子６３ａ又はドック側接続端子６２に供給され、スイッチ部６６ｂによって電力供給方向が切り替えられる。この内部バッテリー６６ａには充電量検出部６６ａが接続されており、この充電量検出部６６ａによる検出結果に基づいてスイッチ部６６ｂによる電力供給方向及び電力量が変化される。充電量検出部６６ａは、充電が完了しバッテリーが満杯になると、他方のバッテリーを充電するように、バッテリー接続端子６３ａの電圧と接続端子６２の電圧とを比較しており、その比較結果に応じて、電力供給を分配するようにしている。
【００４７】
具体的には、ドック装置６のスイッチ部６６ｂが接続端子６２，３３を介してディスプレイ３，４側に接続され、ディスプレイ３，４側の表示部接続端子２３ｃを介して、操作部２側に通じている。そして、ドック装置６においてスイッチ部６６ｂには、拡張バッテリー７３又は外部電源６５が、バッテリー接続端子６３ａ又は電力供給端子６４を介して接続されており、スイッチ部６６ｂは、拡張バッテリー７３や外部電源６５側から、ディスプレイ３，４及び操作部２に対する電力供給を行う一方で、ディスプレイ３，４及び操作部２から、拡張バッテリー７３や外部電源６５側への逆流を防ぐ役割も果たしている。
【００４８】
例えば、情報端末装置１がドック装置６に接続されることなく、外部電源６５が接続され、バッテリー７１〜７３がバッテリー接続端子６３ａに接続されている場合、充電量検出部６６ａは、スイッチ部６６ｂに外部電源６５をバッテリー接続端子６３ａに接続させ、バッテリー接続端子６３ａ側のバッテリーを集中的に充電する。また、情報端末装置１がドック装置６に接続されて、且つバッテリー７１〜７３がバッテリー接続端子６３ａに接続されている場合、充電量検出部６６ａは、外部電源６５から、情報端末装置１が駆動するのに必要な電力をバッテリー接続端子６３ａ側から情報端末装置１側へ供給させ、さらにバッテリー接続端子６３ａに接続されたバッテリー７１〜７３を充電する。このとき、情報端末装置１側において、同時にバッテリー接続端子２０ａに接続されたバッテリー７１，７２も充電するようにしてもよく、ドック装置側のバッテリー接続端子６３ａに接続されたバッテリー７１〜７３の充電が完了した後に、情報端末装置１側のバッテリー７１，７２を充電するようにしてもよい。
【００４９】
他方、外部電源６５が接続されることなく、情報端末装置１がドック装置６に接続され、且つバッテリー７１〜７３がバッテリー接続端子６３ａに装填されている場合、充電量検出部６６ａは、バッテリー接続端子６３ａに装填されたバッテリー７１〜７３から、情報端末装置１が駆動するのに必要な電力をバッテリー接続端子６３ａ側から情報端末装置１側へ供給させ、さらにバッテリー接続端子６３ａに接続されたバッテリー７１〜７３に余剰電力が残っているときには、情報端末装置１側のバッテリー接続端子２０ａにも電力を供給させて、情報端末装置１を駆動させつつ、バッテリー接続端子２０ａに接続されたバッテリー７１，７２も充電する。
【００５０】
操作部２側のスイッチ部２０ｄは、ドック装置６側からの電力量が大きい場合には、その電力を、バッテリー接続端子２０ａを通じて小型・中型バッテリー７２，７１へ供給することができ、拡張バッテリー７３や外部電源６５からの電力を、ディスプレイ３，４及び操作部２の駆動に用いるとともに、余剰の電力を小型・中型バッテリー７２，７１に供給することができ、ディスプレイ３，４及び操作部２を駆動させつつ、小型・中型バッテリー７２，７１を充電することができる。
【００５１】
このような電源系の構成により、ドック装置６に情報端末装置１をドッキングさせた状態では、拡張バッテリー７３や外部電源６５によって、ディスプレイ３，４及び操作部２を駆動させつつ、小型・中型バッテリー７２，７１を充電することができる。これにより、例えば、トライアスロンのように水泳競技、自転車競技、長距離走といった複数の種目が連続して行われる競技では、水泳競技で消耗したバッテリーを、自転車競技中に情報端末装置１をドック装置６にドッキングさせて拡張バッテリー７３で充電し、長距離走では情報端末装置１をドック装置６から取り外して腕に装着させるなどの応用が可能となり、長時間の競技であっても安定した電力を確保できる。
【００５２】
（ベルト装着時における形態）
情報端末装置１は、ベルト５を用いて、装着者が腕などに装着することができる。図９及び図１０は、実施形態に係る情報端末装置にベルトを取付けた状態を示す斜視図である。図１１（ａ）はベルトのみを示す斜視図であり、（ｂ）はベルトの係合部のみを示す斜視図であり、（ｃ）は（ｂ）の正面図である。
【００５３】
本実施形態において情報端末装置１は、ベルト５を用いて装着者が装着した状態において、ディスプレイ３，４が装着者が装着した状態における１２時側に配置され、操作部２が６時側に配置されるようになっており、ディスプレイ３，４や操作部２には６時側の外表面上に、情報を簡易表示させるための簡易表示部を有する。この簡易表示部としては、ＬＥＤやランプ等の点灯手段や、液晶ディスプレイなど瞬間視によって情報を理解できるような表示手段が含まれる。これにより、腕に情報端末装置１をベルト５で装着した状態では、装置表の６時側の側面が装着した腕の親指位置と対応することとなる。一般的なスポーツでは、腕の親指側が視界に入り易く、その反対側は見えづらい位置となることから、情報の簡易表示を６時側に見えやすく配置させることで、情報の瞬間視を可能とし、本機をスポーツのコーチングなどに利用するときに、運動をし続けながら、情報を見る際のフォームの乱れなどを低減させることができる。
【００５４】
具体的にベルト５は、装着者が装着する際に環状に形成される細長の可撓性を有する帯状の部材であり、環状の一部に係合フレーム５１が形成されている。この係合フレーム５１は、ベルト５に上記操作部２又はディスプレイ３，４が着脱可能に係合される部分であり、本実施形態では、上面視において略矩形状の環状をなし、情報端末装置１のくの字形状に適合するように、側面視においてくの字形状に屈曲されている。
【００５５】
また、この係合フレーム５１の内側面には、情報端末装置１側の溝部に嵌合される凸部５１ｄ，５１ｅが内方に向けて突出されており、この凸部５１ｄ，５１ｅを情報端末装置１側の溝部に嵌合させることにより、情報端末装置１にベルト５を連結させることができる。なお、この溝部として、本実施形態では、図２に例示するように、ディスプレイの底面に形成された溝部３３と、操作部２の下部に形成された溝部２１ａを有している。
【００５６】
これら溝部３３，２１ａは、ディスプレイの表示面であるタッチパネル３ａに平行となるように形成されており、これら溝部３３，２１ａに合致するように係合フレーム５１側の凸部５１ｄ，５１ｅが形成されている。すなわち、図１１に詳細に示すように、くの字に屈曲された係合フレーム５１のディスプレイが係合される前端部分５１ｇ側に、前端部分５１ｇの上面と平行になるように凸部５１ｄが形成され、係合フレーム５１の操作部２が係合される後端部分５１ｆ側に、後端部分５１ｆの上面と交差させて凸部５１ｄと平行になるように凸部５１ｅが形成されている。これにより、情報端末装置１をベルト５に係合させる際には、後端部分５１ｆから前端部分５１ｇに向けて、情報端末装置１を上面のタッチパネル３ａと平行となる方向にスライドさせることで、ベルト５に対して装着させることができる。この情報端末装置１の係合状態は、１２時位置に設けられたロック５１ｃで固定される。このロック５１ｃは、手動によってスライド移動が可能となっており、このロック５１ｃをスライドさせることによって、情報端末装置１の係合状態を解除できるようになっている。
【００５７】
このような係合フレーム５１に情報端末装置１を連結させてベルト５を装着者の腕に巻き付けることにより、装着者の腕に情報端末装置１を固定することができる。具体的にベルト５は、図９及び図１０に示すように、係合フレーム５１の１２時側及び６時側に連結され装着者が装着する際に環状に形成される細長のベルト部材５０ａ，５０ｂと、ベルト部材５０ａ，５０ｂの端部を相互に係止させて環状を保持する係止部としてのバックル部５５ｂとを有している。
【００５８】
ベルト部材５０ａ，５０ｂは、係合フレーム５１の両端にそれぞれ接続された可撓性を有する一対の帯状部材であり、各ベルト部材５０ａ，５０ｂには、その長手方向に沿って、表裏にわたって貫通された多数のベルト孔５０ｃが連続して配列されている。この多数のベルト孔５０ｃは、ベルト部材５０ａ，５０ｂの長手方向に沿って連続される２以上の列（本実施形態では、３列）をなし、隣接する列に属する孔の間隔周期は、互いに半周期分ずれて千鳥配置されて全体としてハニカム構造を形成している。バックル部５５ｂのピンを、多数のベルト孔５０ｃのいずれかに嵌合させることにより、任意の位置でベルト部材５０ａの先端５５ａをベルト部材５０ａ側へ係止させ、ベルト両端を係合させて環状を形成する。これにより、環状にしたベルト５の径をより細かく調整させることができ、ベルトのフィット感をより高めることができる。
【００５９】
また、このベルト５では、装着者の腕に情報端末装置１を装着した状態において、図１１（ｃ）に詳細に示すように、装着者の手首近傍において、手の甲側が低く、腕側が高くなるように形成されている。詳述すると、係合フレーム５１は、本実施形態では、装着者の手首において手の甲側に配置されるように装着され、装着された状態の係合フレーム５１は、時計の１２時方向にディスプレイ３又は４が配置され、６時の方向に操作部２が配置されるように構成されている。情報端末装置１を左手に装着した場合には、３時側に装着者の手の甲が位置され、９時側に装着者の腕が位置されることとなる。そして、このように装着される係合フレーム５１では、９時側のフレーム側部５１ａの高さが、他方の３時側のフレーム側部５１ｂよりも高く形成されている。このフレーム側部の高さとは、装着者とベルト５との接触面における法線方向において、フレームの一番高くなる部位の接触面からの距離ｈａ及びｈｂを示し、図１１では、情報端末装置１を左手に装着する場合を例示しており、３時側に装着者の手の甲が位置され、この３時側のフレーム側部５１ｂが低く、９時側のフレーム側部５１ａが高く設定されている。
【００６０】
これにより、大型ディスプレイ４を係合フレーム５１に取付けて腕に装着する場合、ベルト５の長手方向（環状にした状態の周方向）と直交する一方向に向けて突出された形状をなしている。例えば、係合フレーム５１が左手装着用である場合には、大型ディスプレイ４の腕側（時計９時側）の側端部が腕側に突出した形状となっており、このディスプレイが突出した側のフレーム側部５１ａを高くすることで、大型ディスプレイ４の突出した部分が、装着者の腕から離れるように持ち上げられ、大型ディスプレイ４の突出した側部が、手首の動きなどの影響で腕の表面に接触することがなく、装着者の手首の動きが妨げられるのを防止できるとともに、破損の可能性を低減することができる。
【００６１】
さらに、本実施形態では、ベルト孔５０ｃを利用して、図１２（ａ）〜（ｃ）に示すようなアジャスター５３を取付けることができる。このアジャスター５３は、環状に形成されたベルト５の内側に配置され、ベルト部材の一部又は全部の厚みを増加させる補間部材であり、所定の厚みがあるスペーサー部５３ａと、前述のベルト孔５０ｃに差し込まれる突起部５３ｂとを有している。
【００６２】
本実施形態においてアジャスター５３のスペーサー部５３ａは、ベルト部材５０ａ又は５０ｂの内側に沿って配置できるように、同図（ｂ）に示すように、ベルト部材５０ａ又は５０ｂの曲がりに追従して変形する、断面が半円形状の可撓性を有する部材で形成されている。本実施形態では、スペーサー部５３ａは、例えばウレタンやスポンジ等の合成樹脂や、皮革、合成皮革等で形成することができ、半円形状の弦部分に、環状の中心点５０ｏから、ベルト部材５０ａ又は５０ｂ内表面に向けて切り込まれたスリット５０ｃが多数形成されている。
【００６３】
これにより、簡単な構成によりベルト部材５０ａ又は５０ｂの環径や曲がり具合に追従させてスペーサー部５３ａを湾曲させることができる上に、装着者の腕に対するフィット感を高めつつ、スリットを介しての通気性や発汗性を促すことができ、サイズを調整しつつベルト部材を快適に装着できる。
【００６４】
そして、スペーサー部５３ａを環状に形成されたベルト５内側の任意位置に配置し、突起部５３ｂをベルト孔５０ｃに差し込んで固定することにより、ベルト５の厚みを増加させる補間部材を、ベルト部材５０ａ又は５０ｂと装着者の腕表面との間に挟み込むことができ、サイズ調整の幅を拡げることができる。また、ベルト孔５０ｃをアジャスター５３の取付けに利用することができるとともに、多数のベルト孔５０ｃから選択して取付け位置を定めることができ、取付け位置等の自由度を高くすることができる。
【００６５】
（マウント治具）
上述したドック装置６には、用途・目的に応じて、ドック装置６及びドック装置６に連結された情報端末装置１を、自転車やバイク、その他の機器に固定するためのマウント治具８を取付けることができる。図１３は、マウント治具８の構成を示す外観図である。
【００６６】
同図に示すように、マウント治具８は、自転車のハンドルなどに嵌合させるリング状の嵌合部８１と、ドック装置６の本体６０の側部に設けられた連結部６０ａと連結される連結部８３と、連結部８３の固定をロックするレバー８２とを備えている。
【００６７】
このマウント治具８によれば、マウント治具８を介して、情報端末装置１を自転車やその他の器具の部位に固定することができ、より幅広いシーンでの利用が可能となる。
【００６８】
（作用・効果）
以上述べたように、本実施形態によれば、ウェアラブル形式の情報端末装置において、スポーツなど装着者が激しく動くようなシーンであっても、装着者の腕に安定的にフィットさせ、操作性及び視認性を向上させることができる。
【００６９】
なお、上述した各実施形態の説明は、本考案の一例である。このため、本考案は上述した実施形態に限定されることなく、本考案に係る技術的思想を逸脱しない範囲であれば、設計等に応じて種々の変更が可能である。
【符号の説明】
【００７０】
１…情報端末装置
２…操作部
２ａ…上面
３…小型ディスプレイ
３ａ…タッチパネル
４…大型ディスプレイ
４ａ…タッチパネル
５…ベルト
６…ドック装置
８…マウント治具
２０…スロット
２０ａ…バッテリー接続端子
２０ｂ…内部バッテリー
２０ｃ…充電量検出部（操作部側）
２０ｄ…スイッチ部
２１，２１…機能ボタン
２１ａ，３３…溝部
２３…凸部
２３ａ，２３ｂ…フック係合孔
２３ｃ…表示部接続端子
３１…フック
３２…凸部
３３…端末側接続端子
３４…着脱ボタン
５０ａ，５０ｂ…ベルト部材
５０ｃ…ベルト孔
５１…係合フレーム
５１ａ，５１ｂ…フレーム側部
５１ｃ…ロック
５１ｄ，５１ｅ…凸部
５１ｆ…後端部分
５１ｇ…前端部分
５３…アジャスター
５３ａ…スペーサー部
５３ｂ…突起部
５５ａ…先端
５５ｂ…バックル部
６０…本体
６０ａ…連結部
６１…ドッキング溝
６１ａ…ロック
６１ｂ，６１ｃ…凸部
６２…ドック側接続端子
６３…スロット
６３ａ…バッテリー接続端子
６４…電力供給端子
６５…外部電源
６６ａ…内部バッテリー
６６ｂ…スイッチ部
６６ｃ…充電量検出部（ドック装置側）
７１…中型バッテリー
７２…小型バッテリー
７３…拡張バッテリー
７３ｂ…コネクタ部
８１…嵌合部
８２…レバー
８３…連結部
【図１】
0003203424.tif 000003
【図２】
0003203424.tif 000004
【図３】
0003203424.tif 000005
【図４】
0003203424.tif 000006
【図５】
0003203424.tif 000007
【図６】
0003203424.tif 000008
【図７】
0003203424.tif 000009
【図８】
0003203424.tif 000010
【図９】
0003203424.tif 000011
【図１０】
0003203424.tif 000012
【図１１】
0003203424.tif 000013
【図１２】
0003203424.tif 000014
【図１３】
0003203424.tif 000015
【手続補正書】
【提出日】平成28年1月27日(2016.1.27)
【手続補正１】
【補正対象書類名】実用新案登録請求の範囲
【補正対象項目名】全文
【補正方法】変更
【補正の内容】
【実用新案登録請求の範囲】
【請求項１】
装着者が操作するための操作手段が外表面に配置された操作部と、
前記操作部に対して着脱可能に連結され、前記操作部における操作に関する情報が表示される第１の表示部と、
前記第１の表示部と異なる大きさ、形状、模様又は色彩であり、前記第１の表示部と交換可能に前記操作部に対して連結される第２の表示部と
を備え、
側方からの平面視において、前記操作部に対して前記第１又は第２の表示部が連結された状態の全体形状が、くの字状に屈曲されている
ことを特徴とする情報端末装置。
【請求項２】
前記操作部に対して着脱可能に連結されるバッテリー装置をさらに備え、
前記操作部を介して、前記バッテリー装置からの電力を前記第１又は第２の表示部に対して供給可能となっている
ことを特徴とする請求項１に記載の情報端末装置。
【請求項３】
前記装着者が装着する際に環状に形成される細長のベルト部材と、
前記ベルト部材に設けられ、前記操作部、及び／又は前記第１又は第２の表示部が着脱可能に係合される係合部と、
をさらに備え、
前記第１又は第２の表示部の側部は、前記ベルト部材の長手方向と直交する一方向に向けて突出された形状をなし、
前記第１又は第２の表示部の突出された側部における、装着者との接触面からの高さが、他方の側部よりも高く形成されていることを特徴とする請求項１又は２に記載の情報端末装置。
【請求項４】
前記装着者が装着する際に環状に形成される細長のベルト部材と、
前記ベルト部材に設けられ、前記操作部、及び／又は前記第１又は第２の表示部が着脱可能に係合される係合部と、
前記ベルト部材の端部を相互に係止させて前記環状を保持する係止部と
をさらに備え、
前記ベルト部材の長手方向に沿って多数の孔が連続して配列され、
前記多数の孔は、前記長手方向に沿って連続される２以上の列をなし、隣接する列に属する孔の間隔周期は、互いに半周期分ずれており、
前記係止部は、前記多数の孔のいずれかに嵌合されることにより、ベルト部材の一端を他端側へ係止させる
ことを特徴とする請求項１又は２に記載の情報端末装置。
【請求項５】
環状に形成された前記ベルト部材の内側に配置され、前記ベルト部材の一部又は全部の厚みを増加させる補間部材をさらに備え、
前記補間部材は、前記多数の孔に嵌合されて固定される
ことを特徴とする請求項４に記載の情報端末装置。
【請求項６】
前記装着者が装着する際に環状に形成される細長のベルト部材と、
環状に形成された前記ベルト部材の内側に配置され、前記ベルト部材の一部又は全部の厚みを増加させる補間部材と
をさらに備えることを特徴とする請求項１又は２に記載の情報端末装置。
【請求項７】
前記補間部材は、
前記ベルト部材の内側に沿って配置される可撓性を有する部材に、前記環状の中心から、前記ベルト部材内表面に向けて切り込まれたスリットが多数形成されて構成されることを特徴とする請求項５又は６に記載の情報端末装置。
【請求項８】
前記第１又は第２の表示部は、前記装着者が装着した状態における１２時側に配置され、
前記操作部は、前記装着者が装着した状態における６時側に配置され、
前記第１又は第２の表示部及び／又は前記操作部には、前記６時側の外表面上に、情報を簡易表示させるための簡易表示部を有する
ことを特徴とする請求項１又は２に記載の情報端末装置。
【請求項９】
前記操作部に対して着脱可能に連結され、連結状態において前記操作部又は前記第１又は第２の表示部のいずれか又は両方と電磁的に接続されるドック装置と、
前記ドック装置に対して着脱可能に連結される１又は複数の拡張バッテリー装置と
前記ドック装置を介して、前記拡張バッテリー装置のいずれか又は全部からの電力を前記操作部及び／又は前記第１又は第２の表示部に対して供給可能となっている
ことを特徴とする請求項１又は２に記載の情報端末装置。
【請求項１０】
前記拡張バッテリー装置は、前記操作部に連結された他のバッテリー、又は当該他のバッテリーと共通の連結機構を有する他の拡張バッテリーに対しても充電用の電力を供給可能となっている
ことを特徴とする請求項９に記載の情報端末装置。
【請求項１１】
前記ドック装置に対して着脱可能に連結され、連結状態において当該ドック装置及び当該ドック装置に連結された前記操作部又は前記第１又は第２の表示部のいずれか又は両方を、他の部位に固定するためのマウント治具をさらに備えることを特徴とする請求項９に記載の情報端末装置。